(57)【要約】【課題】液層である電解槽を用いることなく次亜塩素酸ガスを発生させるとともにこのガスを用いることにより不純物・未反応物の混入が極めて少なく任意濃度の次亜塩素酸水を容易に製造できる次亜塩素酸水製造装置を提供する。【解決手段】次亜塩素酸水製造装置１は、次亜塩素酸水製造用ガス発生器２と、空気供給器３と、次亜塩素酸ガス導入路４７を備える次亜塩素酸水作製部４と、塩化物水溶液を供給する塩化物水溶液供給器５とを備える。次亜塩素酸水製造用ガス発生器２は、ハウジング２０内に収納された２つの電極２３，２４に直流電流を供給する電源部６と２つの電極２３，２４間に充填され塩化物水溶液を保水可能な保水性導電性多孔体２５とを備え、空気供給器３より供給される空気の流通が可能な通気性を有し、発生した次亜塩素酸ガスが次亜塩素酸水製造用ガス発生器２内を流通する空気（湿空気）とともに次亜塩素酸水作製部４の導入路４７に誘導される。【選択図】図１
2008030979.tif 000002
【特許請求の範囲】
【請求項１】
次亜塩素酸水製造用ガス発生器と、該次亜塩素酸水製造用ガス発生器に空気を導入する空気供給器と、水貯留部と前記次亜塩素酸水製造用ガス発生器より発生した次亜塩素酸ガスを導入するための導入路を備える次亜塩素酸水作製部と、前記次亜塩素酸水製造用ガス発生器に塩化物水溶液を供給する塩化物水溶液供給器とを備える次亜塩素酸水製造装置であって、
前記次亜塩素酸水製造用ガス発生器は、ハウジングと、該ハウジング内に収納された２つの電極と、該２つの電極に直流電流を供給する電源部と、前記ハウジング内かつ前記２つの電極間に充填され、前記塩化物水溶液を保水可能な保水性導電性多孔体とを備え、前記空気供給器より供給される空気の流通が可能な通気性を有し、該次亜塩素酸水製造用ガス発生器内にて発生した次亜塩素酸ガスが、該次亜塩素酸水製造用ガス発生器内を流通する空気とともに前記次亜塩素酸水作製部の前記導入路に誘導されるものとなっていることを特徴とする次亜塩素酸水製造装置。
【請求項２】
前記次亜塩素酸水製造装置は、前記次亜塩素酸水作製部内にて製造される次亜塩素酸水のｐＨもしくは電導度を検知するための検知部と、該検知部の検知結果に基づき該次亜塩素酸水製造装置を制御する制御部を備えている請求項１に記載の次亜塩素酸水製造装置。
【請求項３】
前記次亜塩素酸水製造装置は、前記検知部の検知結果に基づき、前記電源部、前記空気供給器および前記塩化物水溶液供給器のいずれかもしくはすべての作動を制御するものである請求項２に記載の次亜塩素酸水製造装置。
【請求項４】
前記次亜塩素酸水製造装置は、前記次亜塩素酸水製造用ガス発生器に接続され、該次亜塩素酸水製造用ガス発生器内に生成される廃液が流入する廃液タンクを備えている請求項１ないし３のいずれかに記載の次亜塩素酸水製造装置。
【請求項５】
前記次亜塩素酸水作製部の前記導入路は、前記水貯留部の水中に、前記次亜塩素酸ガスを導入するものとなっている請求項１ないし４のいずれかに記載の次亜塩素酸水製造装置。
【請求項６】
前記次亜塩素酸水作製部は、次亜塩素酸ガス吸収機能を有する気体浄化器を介して外気と連通する通気部を備えている請求項１ないし５のいずれかに記載の次亜塩素酸水製造装置。
【請求項７】
前記空気供給器は、加湿機能を備えている請求項１ないし６のいずれかに記載の次亜塩素酸水製造装置。
【請求項８】
前記導電性多孔体は、導電性多孔質焼成物である請求項１ないし７のいずれかに記載の次亜塩素酸水製造装置。
【請求項９】
前記２つの電極は、筒状の陰極と、該筒状の陰極のほぼ中心に配置された棒状の陽極からなるものである請求項１ないし８のいずれかに記載の次亜塩素酸水製造装置。
【請求項１０】
前記塩化物水溶液は、塩化ナトリウム、塩化リチウム、塩化カルシウム、塩化マグネシウムより選択された１種以上の塩化物の水溶液である請求項１ないし９のいずれかに記載の次亜塩素酸水製造装置。
【発明の詳細な説明】
【技術分野】
【０００１】
本発明は、次亜塩素酸水製造用ガス発生器を備える次亜塩素酸水製造装置に関する。
【背景技術】
【０００２】
次亜塩素酸水は、食品添加物として認められているとともに、給食センター、食品製造プラント、レストランなどの食品調理室におけるなどにおける殺菌性洗浄水として利用されている。
次亜塩素酸水の製造は、例えば、食塩、塩化カリウム、塩酸などの水溶液のように塩素イオンを含んだ溶液を直流により電気分解することにより行われる。
そして、次亜塩素酸の生成は、塩素イオン（Ｃｌ−）が陽極表面で電解酸化を受けて塩素（Ｃｌ２）となり、さらに水と反応し、次亜塩素酸を生成することを利用している。
次亜塩素酸水製造装置としては、特開平９−１０３７８６号公報（特許文献１）に開示されているような食塩や塩化カリウムの低濃度溶液を隔膜式電解槽で電解する装置、特開２０００−１４０８５０号公報（特許文献２）に開示されているような高濃度の塩溶液を連続的に電解し、水で希釈調製する装置、また、特開２０００−２１２７８６号公報（特許文献３）に開示されているような高濃度の原液を貯留した電解槽を水タンク内に投入して電解し、電解槽内部に生成した電解液をタンク内に混合希釈する装置などが知られている。
【０００３】
【特許文献１】特開平９−１０３７８６
【特許文献２】特開２０００−１４０８５０
【特許文献３】特開２０００−２１２７８６
【発明の開示】
【発明が解決しようとする課題】
【０００４】
しかし、上記特許文献のいずれのものにおいても、塩化物水溶液の電気分解は、液槽中で行われるものであり、未反応物質や不純物の混入を免れることができない。また、次亜塩素酸の生成も、電極面積に制約され生成効率は十分なものではなく、装置も大型なものとなる。また、従来の次亜塩素酸水製造装置では、任意の濃度の次亜塩素酸水を製造することも容易ではなかった。
そこで、本発明の目的は、液層である電解槽を用いることなく、次亜塩素酸ガスを発生させるとともに、このガスを用いることにより、不純物、未反応物の混入が極めて少なく、かつ、任意の濃度の次亜塩素酸水を容易に製造できる次亜塩素酸水製造装置を提供するものである。
【課題を解決するための手段】
【０００５】
上記目的を達成するものは、以下のものである。
（１）  次亜塩素酸水製造用ガス発生器と、該次亜塩素酸水製造用ガス発生器に空気を導入する空気供給器と、水貯留部と前記次亜塩素酸水製造用ガス発生器より発生した次亜塩素酸ガスを導入するための導入路を備える次亜塩素酸水作製部と、前記次亜塩素酸水製造用ガス発生器に塩化物水溶液を供給する塩化物水溶液供給器とを備える次亜塩素酸水製造装置であって、
前記次亜塩素酸水製造用ガス発生器は、ハウジングと、該ハウジング内に収納された２つの電極と、該２つの電極に直流電流を供給する電源部と、前記ハウジング内かつ前記２つの電極間に充填され、前記塩化物水溶液を保水可能な保水性導電性多孔体とを備え、前記空気供給器より供給される空気の流通が可能な通気性を有し、該次亜塩素酸水製造用ガス発生器内にて発生した次亜塩素酸ガスが、該次亜塩素酸水製造用ガス発生器内を流通する空気とともに前記次亜塩素酸水作製部の前記導入路に誘導されるものとなっている次亜塩素酸水製造装置。
【０００６】
（２）  前記次亜塩素酸水製造装置は、前記次亜塩素酸水作製部内にて製造される次亜塩素酸水のｐＨもしくは電導度を検知するための検知部と、該検知部の検知結果に基づき該次亜塩素酸水製造装置を制御する制御部を備えている上記（１）に記載の次亜塩素酸水製造装置。
（３）  前記次亜塩素酸水製造装置は、前記検知部の検知結果に基づき、前記電源部、前記空気供給器および前記塩化物水溶液供給器のいずれかもしくはすべての作動を制御するものである上記（２）に記載の次亜塩素酸水製造装置。
（４）  前記次亜塩素酸水製造装置は、前記次亜塩素酸水製造用ガス発生器に接続され、該次亜塩素酸水製造用ガス発生器内に生成される廃液が流入する廃液タンクを備えている上記（１）ないし（３）のいずれかに記載の次亜塩素酸水製造装置。
（５）  前記次亜塩素酸水作製部の前記導入路は、前記水貯留部の水中に、前記次亜塩素酸ガスを導入するものとなっている上記（１）ないし（４）のいずれかに記載の次亜塩素酸水製造装置。
（６）  前記次亜塩素酸水作製部は、次亜塩素酸ガス吸収機能を有する気体浄化器を介して外気と連通する通気部を備えている上記（１）ないし（５）のいずれかに記載の次亜塩素酸水製造装置。
【０００７】
（７）  前記空気供給器は、加湿機能を備えている上記（１）ないし（６）のいずれかに記載の次亜塩素酸水製造装置。
（８）  前記導電性多孔体は、導電性多孔質焼成物である上記（１）ないし（７）のいずれかに記載の次亜塩素酸水製造装置。
（９）  前記２つの電極は、筒状の陰極と、該筒状の陰極のほぼ中心に配置された棒状の陽極からなるものである上記（１）ないし（８）のいずれかに記載の次亜塩素酸水製造装置。
（１０）  前記塩化物水溶液は、塩化ナトリウム、塩化リチウム、塩化カルシウム、塩化マグネシウムより選択された１種以上の塩化物の水溶液である上記（１）ないし（９）のいずれかに記載の次亜塩素酸水製造装置。
【発明の効果】
【０００８】
本発明の次亜塩素酸水製造装置は、次亜塩素酸水製造用ガス発生器と、次亜塩素酸水製造用ガス発生器に空気を導入する空気供給器と、水貯留部と次亜塩素酸水製造用ガス発生器より発生した次亜塩素酸ガスを導入するための導入路を備える次亜塩素酸水作製部と、次亜塩素酸水製造用ガス発生器に塩化物水溶液を供給する塩化物水溶液供給器とを備えている。さらに、次亜塩素酸水製造用ガス発生器は、ハウジングと、該ハウジング内に収納された２つの電極と、２つの電極に直流電流を供給する電源部と、前記ハウジング内かつ前記２つの電極間に充填され、前記塩化物水溶液を保水可能な保水性導電性多孔体とを備え、空気供給器より供給される空気の流通が可能な通気性を有し、該次亜塩素酸水製造用ガス発生器内にて発生した次亜塩素酸ガスが、該次亜塩素酸水製造用ガス発生器内を流通する空気とともに次亜塩素酸水作製部の導入路に誘導されるものとなっている。
上記のタイプの次亜塩素酸水製造用ガス発生器を用いることにより、次亜塩素酸ガスの生成効率が高く、かつ継続的に行え、発生された次亜塩素酸ガスの次亜塩素酸水作製部中の水への添加により、不純物、未反応物の混入が極めて少ない次亜塩素酸水を容易（オンサイト、オンタイムにて）に製造されるとともに、製造される次亜塩素酸水は、添加される次亜塩素酸ガスの量を調整することにより、任意の濃度のものを得ることができる。
【発明を実施するための最良の形態】
【０００９】
そこで、本発明の次亜塩素酸水製造装置を図面に示す実施例を用いて説明する。
図１は、本発明の次亜塩素酸水製造装置の実施例の構成図である。図２は、図１に示した次亜塩素酸水製造装置の制御部を除く具体的構成図である。図３は、本発明の次亜塩素酸水製造装置に用いられる次亜塩素酸水製造用ガス発生器の一例の断面図である。図４は、図３のＡ−Ａ線断面図である。図５は、図３のＢ−Ｂ線断面図である。図６は、図３のＣ−Ｃ線断面図である。
【００１０】
本発明の次亜塩素酸水製造装置１は、次亜塩素酸水製造用ガス発生器２と、次亜塩素酸水製造用ガス発生器２に空気を導入する空気供給器３（具体的には、湿空気供給器）と、水貯留部と次亜塩素酸水製造用ガス発生器より発生した次亜塩素酸ガスを導入するための導入路４７を備える次亜塩素酸水作製部４と、次亜塩素酸水製造用ガス発生器２に塩化物水溶液を供給する塩化物水溶液供給器５とを備える。そして、次亜塩素酸水製造用ガス発生器２は、ハウジング２０と、ハウジング２０内に収納された２つの電極２３，２４と、２つの電極２３，２４に直流電流を供給する電源部６と、ハウジング２０内かつ２つの電極２３，２４間に充填され、塩化物水溶液を保水可能な保水性導電性多孔体２５とを備える。さらに、次亜塩素酸水製造用ガス発生器２は、空気供給器３より供給される空気（具体的には、湿空気）の流通が可能な通気性を有し、次亜塩素酸水製造用ガス発生器２内にて発生した次亜塩素酸ガスが、次亜塩素酸水製造用ガス発生器２内を流通する空気とともに次亜塩素酸水作製部４の導入路４７に誘導されるものとなっている。
この実施例の次亜塩素酸水製造装置１は、次亜塩素酸水製造用ガス発生器２、空気供給器３、次亜塩素酸水作製部４、塩化物水溶液供給器５および次亜塩素酸水製造用ガス発生器内にて生成される廃液が流入する廃液タンク７を備えている。
【００１１】
この実施例において用いられる空気供給器３は、次亜塩素酸水製造用ガス発生器２の下方より、空気を供給するものとなっている。空気供給器３は、加湿機能を備えることが好ましい。空気供給器３としては、例えば、図２に示すように、吸引する空気を浄化する空気清浄器３１、空気清浄器により清浄化された空気を加湿器である水貯留槽３３に送気する送気ポンプ３２とからなるものが好ましい。また、送気手段としては、ドライフォークノズルを用いてもよい、また、空気供給器としては、水ミストスプレーを用いてもよい。
空気清浄器３１としては、物理的に異物を補足するフィルターと、化学的に異物を吸着する吸着材（例えば、活性炭）とを備えるものが好ましい。送気ポンプ３２より送られる空気は、水貯留槽３３内に貯留されている水中に導入される。そして、水貯留槽の上部と次亜塩素酸水製造用ガス発生器２の下部とは、管路３４により接続されている。
【００１２】
次亜塩素酸水製造用ガス発生器２は、ハウジング２０と、ハウジング２０内に収納された２つの電極２３，２４と、２つの電極２３，２４に直流電流を供給する電源部６と、ハウジング２０内かつ２つの電極２３，２４間に充填され、塩化物水溶液を保水可能な保水性導電性多孔体２５とを備える。
この実施例における次亜塩素酸水製造用ガス発生器２は、図３ないし図６に示すように、筒状ハウジング２０と、このハウジング内面に筒状に配置された筒状の第１の電極２３と、第１の電極２３の中心に配置された棒状の第２の電極２４と、２つの電極間に充填された保水性導電性多孔体２５とを備える。また、次亜塩素酸水製造用ガス発生器２は、第１の電極２３と第２の電極２４に電気的に接続される電源部６を備える。電源部６としては、直流電源が好ましく、さらに、直流電源は、面積の広い筒状の第１の電極２３が陰極となり、棒状の第２の電極２４が陽極となるように接続される。
この次亜塩素酸水製造用ガス発生器２では、筒状の第１の電極２３と棒状の第２の電極２４とが流通空気（流通湿空気）の流通方向と平行となっているため、電極２３，２４が流通する空気に対して抵抗とならず、かつ電極間に収納される塩化物水溶液を保水した保水性導電性多孔体２５に、流通空気（流通湿空気）が確実に接触する。そして、使用時には、保水性導電性多孔体２５の表面に塩化物水溶液の薄水膜が形成された状態とされる。
【００１３】
筒状ハウジング２は、筒状ハウジング本体１２０と、このハウジング本体１２０の一方の開口部に取り付けられた空気流入側ヘッダ１３０と、ハウジング本体１２０の他方の開口部に取り付けられたガス流出側ヘッダ１４５を備える。
筒状ハウジング本体１２０、空気流入側ヘッダ１３０およびガス流出側ヘッダ１４５は、非導電性塩素耐腐食性材料により形成されることが好ましい。塩素耐腐食性材料（好ましくは、湿塩素耐性材料）としては、ポリオレフィン（例えば、ポリエチレン、ポリプロピレン）、塩化ビニル、フッ素樹脂、セラミックスなどが使用できる。
【００１４】
筒状ハウジング本体１２０の内面には、筒状の第１の電極２３のための電気接点１２１を形成する筒状導電体が設けられており、電気接点１２１の端子１２２は、ハウジング本体１２０の側面に設けられた開口より外部に延出している。電気接点１２１および端子１２２は、塩素耐腐食性導電性材料により形成されていることが好ましい。塩素耐腐食性導電性材料としては、チタン、白金もしくはチタンに白金メッキもしくはダイヤモンドコートしたもの、さらには上述したような導電性炭素材などが使用できる。導電性炭素材としては、導電性の高い、炭素繊維が好適である。炭素繊維としては、炭素長繊維が好適である。
筒状ハウジング本体１２０の大きさとしては、処理気体の流量、言い換えれば、気体処理量によって相違するが、内径が５０〜２００ｍｍ程度が好適である。
【００１５】
空気流入側ヘッダ１３０は、下部に設けられた空気流入ポート２８と、廃液流出ポート２９を備えている。空気流入ポートは、空気供給器３の管路３４と接続される。廃液排出ポート２９は、廃液タンク７の管路７２と接続される。
また、空気流入側ヘッダ１３０は、多数の開口１３３を備える仕切部１３４を備え、仕切部１３４の中央には、第２の電極２４の一端を収納するための凹部である電極把持部１３５を備えている。そして、空気流入側ヘッダ１３０のハウジング本体１２０内面側には、環状凹部が形成されており、この凹部に通気性メッシュ部材１１２が配置されており、保水性導電性多孔体２５の流出を防止している。空気流入側ヘッダ１３０は、ハウジング本体１２０の一端に固定されている。
【００１６】
ガス流出側ヘッダ１４５は、上部に設けられた次亜塩素酸含有ガス流出ポート２６と、塩化物水溶液流入ポート２７を備えている。次亜塩素酸含有ガス流出ポート２６は、次亜塩素酸水作製部４の導入路４７と接続される。塩化物水溶液流入ポート２７は、塩化物水溶液供給器５の管路５６と接続される。
また、ガス流出側ヘッダ１４５内には、多数の開口１４３を備える板状部材１４４が収納されている。そして、板状部材１４４の中央には、第２の電極２４の他端を突出させるための筒状部を備えている。筒状部には、キャップ材１４６が取り付けられており、キャップ材１４６は、第２の電極２４のための電気接点１４７を形成するリング状導電体が設けられており、電気接点１４７の端子１４８は、キャップ部材１４６の側面に設けられた開口より外部に延出している。電気接点１４７および端子１４８は、塩素耐腐食性導電性材料（好ましくは、湿塩素耐腐食性導電性材料）により形成されていることが好ましい。塩素耐腐食性導電性材料（好ましくは、湿塩素耐腐食性導電性材料）としては、チタン、白金、チタンに白金メッキもしくはダイヤモンドコートしたもの、さらには上述したような導電性炭素材などが使用できる。導電性炭素材としては、導電性の高い、黒鉛、炭素繊維が好適である。
【００１７】
そして、ガス流出側ヘッダ１４５内に収納された板状部材１４４の下面には、環状凹部が設けられるとともに、この凹部に通気性メッシュ部材１１３が配置されており、保水性導電性多孔体２５の流出を防止している。ガス流出側ヘッダ１４５は、ハウジング本体１２０の一端に固定されている。
通気性メッシュ部材１１２、１１３は、塩素耐腐食性非導電性材料（好ましくは、湿塩素耐腐食性非導電性材料）により形成されていることが好ましく、例えば、ガラス繊維、合成繊維、セラミックス繊維あんどによるメッシュが使用できる。合成繊維としては、ポリエチレン、ポリプロピレンなどのポリオレフィン系繊維、フッ素樹脂系繊維などが使用できる。
【００１８】
筒状の第１の電極２３は、陰極側として用いられることが好ましい。筒状電極２３を陰極側とすることにより、陰極が広い面積を備えるものとなる。
そして、第１の電極２３は、導電性炭素体、塩素耐食性金属により形成されていることが好ましい。導電性炭素体としては、竹炭、炭素繊維（例えば、炭素繊維織布、炭素繊維不織布、炭素繊維フェルト）などが好適である。竹炭を使用する場合には、筒状に作製した竹炭の外面および内面を切削した一体の筒状竹炭が好ましいが、これに限らず、適宜の大きさの竹炭を筒状となるように多数配置したものでもよい。塩素耐食性金属としては、チタン、白金、チタンに白金メッキしたものなどが使用できる。また、電極としては、上記のような金属材料の表面にダイヤモンド、ダイヤモンドライクカーボンなどの耐腐食性材料が被覆されたものであってもよい。これら耐腐食性材料被膜は、例えば、化学的蒸着法により形成することができる。
【００１９】
また、第１の筒状電極２３の内周面に、電極保護用の内層部を設けてもよい。内層部としては、電極２３の内周面に配置された保水性を有する導電性内層１５１を設けることが好ましい。また、内層部としては、電極２３と保水性導電性多孔体２５間には、保水性を有しかつ非導電性もしくは高抵抗材料により形成された隔層部１５２を設けることが好ましい。特に、好ましくは、図３および図４に示すように、電極２３の内周面に配置された保水性を有する導電性内層１５１と、この導電性内層１５１と保水性導電性多孔体２５間設けられた隔層部１５２を設けることが好ましい。
導電性内層１５１としては、炭素繊維、金属繊維、導電性合成樹脂どの導電性材料により形成された布帛、フェルトなどが好ましい。また、隔層部１５２の形成材料としては、セラミックス、天然繊維、セルロースなどの再生繊維、ポリエステル系繊維、ナイロン６、ナイロン６６、ナイロン４６などのポリアミド系繊維、ポリエチレン、ポリプロピレンなどのポリオレフィン系繊維などの合成繊維などにより形成された布帛、フェルトなどが使用される。
【００２０】
棒状の第２の電極２４は、陽極側として用いられることが好ましい。第２の電極２４は、導電性炭素体、塩素耐食性金属（特に、湿塩素耐食性金属）により形成されていることが好ましい。導電性炭素体としては、グラファイト、炭素繊維（例えば、炭素繊維織布、炭素繊維不織布）などが好適である。塩素耐食性金属としては、チタン、白金、チタンに白金メッキしたものなどが使用できる。また、電極としては、上記のような金属材料の表面にダイヤモンド、ダイヤモンドライクカーボンなどの耐腐食性材料が被覆されたものであってもよい。これら耐腐食性材料被膜は、例えば、化学的蒸着法により形成することができる。
【００２１】
そして、本発明の次亜塩素酸水製造用ガス発生器２では、２つの電極２３，２４間に保水性導電性多孔体２５が収納されている。さらに、第２の電極２４の外周面は、図３および図４に示すように、近接する保水性導電性多孔体２５と直接接触していることが好ましい。なお、このようにすることが好ましいが、第２の電極２４の外周面には、導電性ネット部材を設けてもよい。ネット部材１６１としては、炭素繊維ネット部材、炭素繊維フェルト部材などが使用できる。この次亜塩素酸水製造用ガス発生器２では、保水性導電性多孔体２５は、陽極である第２の電極２４と電気的に接続された状態となっている。このため、保水性導電性多孔体２５は、陽極側に帯電するため、保水性導電性多孔体２５が保水する塩化物水溶液からの塩素ガスの発生がきわめて良好となる。
【００２２】
保水性導電性多孔体２５としては、電気抵抗が、グラファイト程度のものが使用できかつ、塩素耐腐食材料（特に、湿塩素耐腐食材料）により形成されている。このような保水性導電性多孔体２５は、塩素耐腐食材料により形成されており、例えば、導電性多孔質焼成物が好ましい。導電性多孔質焼成物としては、導電性炭素体、炭素繊維、導電性炭化珪素、保水性導電性多孔質セラミックなどが好適である。塩素耐腐食性を有する金属のメッシュ、金属細線、金属箔なども使用できるが、上記のセラミックス系および炭素系のものの方がより塩素耐腐食性を有するので好適である。導電性炭素体としては、導電性多孔質炭素体（特には、差連続気孔導電性多孔質炭素体）が好適であり、具体的には、備長炭、多孔性黒鉛である。また、炭素繊維としては、炭素長繊維、炭素短繊維、活性炭繊維もしくは、それらを適宜のバインダーを用いて成型物としたものが使用できる。
【００２３】
保水性導電性多孔質セラミックとしては、セラミック自体が導電性を有するもの、例えば導電性珪素化チタン系セラミック、また、非導電性セラミックの表面に導電性被膜が形成されたもの、具体的には、酸化アルミニウム、炭化珪素、窒化珪素、窒化アルミニウム、酸化珪素、ムライトなどにより形成されたセラミックスの表面に酸化チタン、白金、金などが被覆されたもの、また、非導電性セラミック材料と導電性材料（例えば、金属）の複合物により形成された複合多孔質体などが使用できる。なお、非導電性セラミックの表面への導電性材料の被膜の形成は、光電着法、ＣＶＤ法、スパッタリング、真空蒸着法等のＰＶＤ法により行うことができる。
【００２４】
また、保水性導電性多孔体２５の形態としては、粒状体が好ましい。そして、保水性導電性多孔体２５は、塩化物水溶液を保持（吸水）する。
保水性導電性多孔体２５における塩化物水溶液の担持量は、保水性導電性多孔体２５の重量の５〜２０重量％程度であることが好ましい。塩化物水溶液は、充填材内もしくは表面において電気分解され、塩素を発生する。
【００２５】
そして、本発明の次亜塩素酸水製造装置１は、塩化物水溶液供給器５を備えている。塩化物水溶液供給器５としては、予め調整された塩化物水溶液を貯留するタイプのもの、また、塩化物水溶液供給器５内にて塩化物水溶液の調整機能を備えるもののいずれであってもよい。そして、この実施例では、図２に示すように、塩化物水溶液供給器５は、バルブ５５を備える管路５６を有しており、この管路５６は、上述した次亜塩素酸水製造用ガス発生器２のガス流出側ヘッダ１４５に設けられた塩化物水溶液流入ポート２７に接続されている。また、塩化物水溶液供給器５としては、ミスト状（霧状）の塩化物水溶液を次亜塩素酸水製造用ガス発生器に供給する機能を備えていることが好ましい。
そして、塩化物水溶液供給器５内に貯留される塩化物水溶液が含有する水溶性塩化物としては、塩化ナトリウム、塩化リチウム、塩化カルシウム、塩化マグネシウムより選択された１種もしくは２種以上のものである。特に、好ましくは、塩化ナトリウム、塩化リチウム、塩化マグネシウムである。
【００２６】
そして、本発明の次亜塩素酸水製造装置１は、次亜塩素酸水作製部４を備えている。次亜塩素酸水作製部４は、水貯留部、水供給口４４、次亜塩素酸水取水口４６，水貯留部内（水中）に次亜塩素酸水製造用ガス発生器２にて生成されたガスを誘導する導入路４７を備えている。この実施例における次亜塩素酸水作製部は、次亜塩素酸水調整槽と言い換えることができる。そして、導入路４７の一端は、上述した次亜塩素酸水製造用ガス発生器２のガス流出側ヘッダ１４５に設けられた次亜塩素酸含有ガス流出ポート２６に接続されている。なお、次亜塩素酸水作製部４は、次亜塩素酸水製造用ガス発生器２にて生成されたガスを誘導するためのポンプを備えていてもよい。
【００２７】
なお、次亜塩素酸水作製部４としては、このような槽タイプ、言い換えれば、バッチ処理タイプのものに限定されるものではない。次亜塩素酸水作製部４としては、継続的に次亜塩素酸水を供給するタイプのものであってもよい。このようなタイプの次亜塩素酸水作製部としては、ある程度の水貯留部と、この水貯留部内に一端が位置する誘導路と、水貯留部に常時水を供給する注水部と、常時次亜塩素酸水を排出可能な排出部とを備えるものとなる。
【００２８】
さらに、この実施例の次亜塩素酸水製造装置１では、図２に示すように、次亜塩素酸水作製部４は、次亜塩素酸ガス吸収機能を有する気体浄化器４２を介して外気と連通する通気部を備えている。気体浄化器４２としては、活性炭、好ましくはその粒状物、亜硫酸カルシウム、好ましくはその粒状物が充填されたものが好ましい。
そして、通気部は、バルブ４８を備えている。また、この実施例の次亜塩素酸水作製部は、図１および図２に示すように、次亜塩素酸水作製部内にて製造される次亜塩素酸水のｐＨもしくは電導度を検知するための検知部４５を備えている。
【００２９】
さらに、次亜塩素酸水製造装置１としては、図１に示すように、次亜塩素酸水作製部に設けられた製造次亜塩素酸水のｐＨもしくは電導度を検知するための検知部４５の検知結果に基づき次亜塩素酸水製造装置を制御する制御部８を備えていることが好ましい。
この実施例の制御部８は、検知部４５の検知結果に基づき、電源部６、空気供給器３および塩化物水溶液供給器５のすべての作動を制御するものとなっている。しかし、このようなものが好ましが、いずれか１つのみ、また、任意の２つのみを制御するものであってもよい。
【００３０】
制御部８には、検知部４５により検知される次亜塩素酸水作製部に設けられた製造次亜塩素酸水のｐＨ値もしくは電導度値が逐次入力される。また、制御部８は、目的とする次亜塩素酸水濃度入力部を備えている、入力された目的濃度は、ｐＨ値もしくは電導度に換算されるとともに、検知部４５より検知された値と逐次比較する。検知部４５により検知されたｐＨ値もしくは電導度値が、入力値に到達した場合に、制御部８は、電源部６および空気供給器３の作動を停止させる。
電源部６および空気供給器３の作動を停止後においても、検知部４５による検知は継続され、検知部４５により検知されたｐＨ値もしくは電導度値が、入力値より所定量低下した場合には、制御部８は、電源部６および空気供給器３の作動を再開させる。また、制御部８には、塩化物水溶液供給器５の作動制御機能を備えている。塩化物水溶液供給器５の作動制御機能としては、例えば、制御部８が、次亜塩素酸水製造用ガス発生器２の積算作動時間を算出する機能を備えるものとし、積算作動時間が所定時間に達した場合に、塩化物水溶液供給器５の作動を所定時間作動させるとともに、積算作動時間をクリアさせるものが考えられる。
【図面の簡単な説明】
【００３１】
【図１】図１は、本発明の次亜塩素酸水製造装置の実施例の構成図である。
【図２】図２は、図１に示した次亜塩素酸水製造装置の制御部を除く具体的構成図である。
【図３】図３は、本発明の次亜塩素酸水製造装置に用いられる次亜塩素酸水製造用ガス発生器の一例の断面図である。
【図４】図４は、図３のＡ−Ａ線断面図である。
【図５】図５は、図３のＢ−Ｂ線断面図である。
【図６】図６は、図３のＣ−Ｃ線断面図である。
【符号の説明】
【００３２】
１  次亜塩素酸水製造装置
２  次亜塩素酸水製造用ガス発生器
３  空気供給器
４  次亜塩素酸水作製部
５  塩化物水溶液供給器
６  電源部
７  廃液タンク
８  制御部
【図１】
2008030979.tif 000003
【図２】
2008030979.tif 000004
【図３】
2008030979.tif 000005
【図４】
2008030979.tif 000006
【図５】
2008030979.tif 000007
【図６】
2008030979.tif 000008